(57)【要約】  専用基準信号とトラヒック信号との間において資源を適応させるように割り振るシステムおよび方法が開示される。例示的な実施形態において、無線通信システム100は、基地局404を含む。基地局404は、遠隔局106から品質メトリック432を受信する受信機428を含む。品質メトリック432は、基地局404から送信され、遠隔局106によって受信される信号の品質を示す。基地局404は、資源割り振り構成要素434も含み、これは、品質メトリック432を使用して、トラヒック信号422と専用基準信号418との間において資源を割り振る。基地局404は、トラヒック信号422および専用基準信号418を遠隔局106へ送信する送信機426も含む。【選択図】    図３
2007513586.tif 000002
【特許請求の範囲】
【請求項１】
トラヒック信号と専用基準信号との間において少なくとも１つの資源を適応させるように割り振る基地局であって、
遠隔局から品質メトリックを受信する手段であって、品質メトリックが、基地局から送信され、遠隔局によって受信される信号の品質を示す手段と、
品質メトリックを使用して、トラヒック信号と専用基準信号との間において資源を割り振る手段と、
専用基準信号およびトラヒック信号を遠隔局へ送信する手段とを含む基地局。
【請求項２】
資源が電力を含む請求項１記載の基地局。
【請求項３】
資源が、時分割多重化信号における時間スロットを含む請求項１記載の基地局。
【請求項４】
共通基準信号を遠隔局および複数の他の遠隔局へ送信する手段をさらに含む請求項１記載の基地局。
【請求項５】
品質メトリックが、遠隔局において受信された共通基準信号の信号対干渉および雑音比を含む請求項４記載の基地局。
【請求項６】
品質メトリックが、遠隔局において受信された共通基準信号のシンボル誤り率を含む請求項４記載の基地局。
【請求項７】
パラメータｅｘを遠隔局へ送信する手段をさらに含む基地局であって、パラメータｅｘが、専用基準信号に割り振られた資源の部分を表わす請求項１記載の基地局。
【請求項８】
パラメータθを遠隔局から受信する手段をさらに含む基地局であって、パラメータθが、遠隔局における受信機を訓練するのに使用される訓練アルゴリズムを示す請求項１記載の基地局。
【請求項９】
共通基準信号のｎチップにおいて、最小二乗推定方法を使用して、Ｌタップの線形等化器の係数を計算する手段と、
遠隔局からパラメータ（Ｌ−１）／ｎを受信する手段とをさらに含む請求項１記載の基地局。
【請求項１０】
共通基準信号のｎチップにおいて、最小二乗推定方法を使用して、Ｌタップの線形等化器の係数を計算する手段と、
パラメータ（Ｌ−１）／ｎの固定値について、遠隔局と一致させる手段とをさらに含む請求項１記載の基地局。
【請求項１１】
トラヒック信号と専用基準信号との間において少なくとも１つの資源を適応させるように割り振る遠隔局であって、
共通基準信号、専用基準信号、およびトラヒック信号を基地局から受信する手段と、
受信共通基準信号の品質メトリックを決定する手段と、
品質メトリックを基地局へ送信する手段であって、基地局が、品質メトリックを使用して、専用基準信号とトラヒック信号との間において資源を割り振る手段と、
受信共通基準信号および受信専用基準信号を使用して、遠隔局における受信機を訓練する手段とを含む遠隔局。
【請求項１２】
品質メトリックが、受信共通基準信号の信号対干渉および雑音比を含む請求項１１記載の遠隔局。
【請求項１３】
品質メトリックが、受信共通基準信号のシンボル誤り率を含む請求項１１記載の遠隔局。
【請求項１４】
パラメータｅｘを基地局から受信する手段をさらに含み、パラメータｅｘが、専用基準信号に割り振られた資源の部分を表わす請求項１１記載の遠隔局。
【請求項１５】
パラメータθを基地局へ送信する手段をさらに含み、パラメータθが、遠隔局における受信機を訓練するのに使用される訓練アルゴリズムを示す請求項１１記載の遠隔局。
【請求項１６】
共通基準信号のｎチップにおいて、最小二乗推定方法を使用して、Ｌタップの線形等化器の係数を計算する手段と、
パラメータ（Ｌ−１）／ｎを基地局へ送信する手段とをさらに含む請求項１１記載の遠隔局。
【請求項１７】
共通基準信号のｎチップにおいて、最小二乗推定方法を使用して、Ｌタップの線形等化器の係数を計算する手段と、
パラメータ（Ｌ−１）／ｎの固定値について、遠隔局と一致させる手段とをさらに含む請求項１１記載の遠隔局。
【請求項１８】
トラヒック信号と専用基準信号との間において少なくとも１つの資源を適応させるように割り振る基地局であって、
品質メトリックを遠隔局から受信する受信機であって、品質メトリックが、基地局から送信され、遠隔局によって受信される信号の品質を示す受信機と、
品質メトリックを使用して、トラヒック信号と専用基準信号との間において資源を割り振る資源割り振り構成要素と、
トラヒック信号および専用基準信号を遠隔局へ送信する送信機とを含む基地局。
【請求項１９】
資源が電力を含む請求項１８記載の基地局。
【請求項２０】
資源が、時分割多重化された信号における時間スロットを含む請求項１８記載の基地局。
【請求項２１】
送信機が、共通基準信号を遠隔局および複数の他の遠隔局へも送信するように構成されている請求項１８記載の基地局。
【請求項２２】
品質メトリックが、遠隔局において受信された共通基準信号の信号対干渉および雑音比を含む請求項２１記載の基地局。
【請求項２３】
品質メトリックが、遠隔局において受信された共通基準信号のシンボル誤り率を含む請求項２１記載の基地局。
【請求項２４】
送信機が、パラメータｅｘを遠隔局へも送信する基地局であって、パラメータｅｘが、専用基準信号に割り振られた資源の部分を表わす請求項１８記載の基地局。
【請求項２５】
受信機が、パラメータθも遠隔局から受信する基地局であって、パラメータθが、遠隔局における受信機を訓練するのに使用される訓練アルゴリズムを示す請求項１８記載の基地局。
【請求項２６】
遠隔局における訓練構成要素が、共通基準信号のｎチップにおいて、最小二乗推定方法を採用し、Ｌタップの線形等化器の係数を計算し、受信機が、パラメータ（Ｌ−１）／ｎも遠隔局から受信する請求項１８記載の基地局。
【請求項２７】
遠隔局における訓練構成要素が、共通基準信号のｎチップにおいて、最小二乗推定方法を採用し、Ｌタップの線形等化器の係数を計算し、基地局が、パラメータ（Ｌ−１）／ｎの固定値について、遠隔局を一致させるように構成されている請求項１８記載の基地局。
【請求項２８】
トラヒック信号と専用基準信号との間における少なくとも１つの資源の適応割り振りを容易にするように構成された遠隔局であって、
共通基準信号、専用基準信号、およびトラヒック信号を基地局から受信する受信機と、
受信共通基準信号の品質メトリックを決定する信号品質測定構成要素と、
品質メトリックを基地局へ送信する送信機であって、基地局が品質メトリックを使用して、専用基準信号とトラヒック信号との間において資源を割り振る送信機と、
受信共通基準信号および受信専用基準信号を使用して、受信機を訓練する訓練構成要素とを含む遠隔局。
【請求項２９】
品質メトリックが、受信共通基準信号の信号対干渉および雑音比を含む請求項２８記載の遠隔局。
【請求項３０】
品質メトリックが、受信共通基準信号のシンボル誤り率を含む請求項２８記載の遠隔局。
【請求項３１】
受信機が、パラメータｅｘも基地局から受信し、パラメータｅｘが、専用基準信号に割り振られた資源の部分を表わす請求項２８記載の遠隔局。
【請求項３２】
送信機が、パラメータθも基地局へ送信し、パラメータθが、遠隔局における受信機を訓練するための訓練構成要素によって使用される訓練アルゴリズムを示す請求項２８記載の遠隔局。
【請求項３３】
訓練構成要素が、共通基準信号のｎチップにおいて、最小二乗推定方法を使用し、Ｌタップの線形等化器の係数を計算し、送信機が、パラメータ（Ｌ−１）／ｎも遠隔局へ送信する請求項２８記載の遠隔局。
【請求項３４】
訓練構成要素が、共通基準信号のｎチップにおいて、最小二乗推定方法を使用し、Ｌタップの線形等化器の係数を計算し、遠隔局が、パラメータ（Ｌ−１）／ｎの固定値について、基地局に一致するように構成されている請求項２８記載の遠隔局。
【請求項３５】
基地局において、トラヒック信号と専用基準信号との間において少なくとも１つの資源を適応させるように割り振る方法であって、
遠隔局から品質メトリックを受信することであって、品質メトリックが、基地局から送信され、遠隔局によって受信される信号の品質を示すことと、
品質メトリックを使用して、トラヒック信号と専用基準信号の間において資源を割り振ることと、
専用基準信号およびトラヒック信号を遠隔局へ送信することとを含む方法。
【請求項３６】
遠隔局において、トラヒック信号と専用基準信号との間における少なくとも１つの資源の適応割り振りを容易にする方法であって、
共通基準信号、専用基準信号、およびトラヒック信号を基地局から受信することと、
受信共通基準信号の品質メトリックを決定することと、
品質メトリックを基地局へ送信することであって、基地局が、品質メトリックを使用して、専用基準信号とトラヒック信号の間において資源を割り振ることと、
受信共通基準信号および受信専用基準信号を使用して、遠隔局における受信機を訓練することとを含む方法。
【発明の詳細な説明】
【技術分野】
【０００１】
本発明は、概ね、無線通信システム、より具体的には、無線通信システムのデータ送信容量を最適化するシステムおよび方法に関する。
【背景技術】
【０００２】
ディジタル通信受信機の目的は、送信機によって送られた情報を復元することである。大抵の既存のシステムでは、送信機は、データを乗せた信号と共に波形で基準信号を取り入れる。この基準信号は、一般に“パイロット信号”と呼ばれ、受信機によって事前に知られており、復調および復号処理の効率を高めるために使用される。基準信号を同報通信するのは、一般的な実行であり、言い換えると、全受信機は、復調アルゴリズムにおいて同じ基準信号を使用していることになる。
【０００３】
波形の一部が基準信号の送信に充てられるので、データ送信のシステム容量における上限は、基準信号量が増加するのにしたがって、低減する。他方で、受信機の性能は、基準信号の量に伴って高まり、これは直接的に、所与のチャネル条件におけるデータ容量を向上することになる。
【０００４】
基準信号を利用する通信システムの１つの特性は、基準信号の送信に充てられた波形の部分を変化させることにより得られる、データ容量の上限と受信機の効率との間の兼ね合いである。通常、基準信号の送信に充てられた波形の部分は、一定であり、受信機の性能を向上することと、波形の十分な部分をデータ送信に割り振ることとの間で、良好な折り合い、すなわち最適化であるように選択される。この最適化は、全ての可能なチャネル条件を考慮に入れて行なわれ、チャネル条件は、セルラ環境のような伝搬シナリオでは、非常に異なり得る。これは、標準的な場合には良いが、極端なチャネル状態では、全く最適ではない解決をもたらす。
【０００５】
セルラ伝搬環境に作用するように設計されたシステムの例は、音声およびデータ送信のためのＣＤＭＡ標準、すなわち、ＣＤＭＡ２０００およびＩＳ−８５６である。特定のユーザに宛てられた情報が伝えられる場合に、専用のトラヒックチャネル、すなわち、そのユーザにのみに向けられた波形の部分をもつことが、これらのシステムの共通の特性である。
【発明の開示】
【発明が解決しようとする課題】
【０００６】
上述を考慮すると、恩恵は、データ送信のための全体的なシステム容量を向上するシステムおよび方法によって実現され得る。
【課題を解決するための手段】
【０００７】
トラヒック信号と専用基準信号との間において少なくとも１つの資源を適応させるように割り振る基地局における方法が開示される。品質メトリックは、遠隔局から受信される。品質メトリックは、基地局から送信され、遠隔局によって受信される信号の品質を示す。品質メトリックは、トラヒック信号と専用基準信号との間において資源を割り振るために使用される。専用基準信号およびトラヒック信号は、遠隔局へ送信される。
【０００８】
いくつかの実施形態では、トラヒック信号と専用基準信号との間において割り振られる資源は、電力であり得る。その代わりに、資源は、時分割多重化される信号における時間スロットの形を取り得る。割り振られ得る資源の他の例は、本明細書に含まれている教示を考慮すると、当業者には明らかになるであろう。
【０００９】
方法は、共通基準信号を遠隔局および複数の他の遠隔局へ送信することにも関与し得る。品質メトリックは、遠隔局において受信された共通基準信号の信号対干渉および雑音比であり得る。その代わりに、品質メトリックは、遠隔局において受信された共通基準信号のシンボル誤り率の形を取り得る。またその代わりに、品質メトリックは、遠隔局において受信された共通基準信号のフレーム誤り率の形を取り得る。品質メトリックの他の例は、本明細書に含まれている教示を考慮すると、当業者には明白になる。
【００１０】
トラヒック信号と専用基準信号との間における少なくとも１つの資源の適応割り振りを容易にする遠隔局における方法も開示される。共通基準信号、専用基準信号、およびトラヒック信号は、基地局から受信される。受信共通基準信号の品質メトリックが決定される。品質メトリックは、基地局へ送信される。受信共通基準信号および受信専用基準信号は、遠隔局において受信機を訓練するのに使用される。
【００１１】
トラヒック信号と専用基準信号との間において少なくとも１つの資源を適応させるように割り振る基地局も開示される。基地局は、遠隔局から品質メトリックを受信する受信機を含む。品質メトリックは、基地局から送信され、遠隔局によって受信される信号の品質を示す。基地局は、品質メトリックを使用して、トラヒック信号と専用基準信号との間において資源を割り振る資源割り振り構成要素も含む。基地局は、トラヒック信号および専用基準信号を遠隔局へ送信する送信機も含む。いくつかの実施形態では、送信機は、共通基準信号を、遠隔局と複数の他の遠隔局とへ送信するようにも構成され得る。
【００１２】
トラヒック信号と専用基準信号との間における少なくとも１つの資源の適応割り振りを容易にするように構成された遠隔局も開示される。遠隔局は、共通基準信号、専用基準信号、およびトラヒック信号を基地局から受信する受信機を含む。遠隔局は、受信共通基準信号の品質メトリックを決定する信号品質測定構成要素も含む。遠隔局は、品質メトリックを基地局へ送信する送信機も含む。遠隔局は、受信共通基準信号および受信専用基準信号を使用して、受信機を訓練する訓練構成要素も含む。
【発明を実施するための最良の形態】
【００１３】
“例示的”という用語は、本明細書において“例、事例、または実例としての役割を果たす”ことを意味するために使用されている。本明細書に“例示的”として記載されている何れの実施形態も、他の実施形態よりも好ましいまたは好都合であると、必ずしも解釈されると限らない。
【００１４】
例示的な実施形態が、この記述全体にわって典型として与えられているが、別の実施形態は、本発明の範囲から逸脱していない種々の態様を取り入れ得ることに注意すべきである。具体的には、本発明は、データ処理システム、無線通信システム、モバイルＩＰネットワーク、および無線信号を受信し、処理することを要求する他のシステムに適用可能である。
【００１５】
例示的な実施形態は、スペクトラム拡散無線通信システムを採用する。無線通信システムは、音声、データ、等のような、種々のタイプの通信を与えるために広く展開されている。これらのシステムは、符号分割多元接続(code division multiple access, CDMA)、時分割多元接続(time division multiple access, TDMA)、または他のいくつかの変調技術に基づき得る。ＣＤＭＡシステムは、他のタイプのシステムと比べて、増加したシステム容量を含む、ある特定の長所を備えている。
【００１６】
無線通信システムは、本明細書においてＩＳ−９５標準と呼ばれている“TIA/EIA/IS-95-B Mobile Station-Base Station Compatibility Standard for Dual-Mode Wideband Spread Spectrum Cellular System”であって、本明細書において３ＧＰＰと呼ばれている“第三世代パートナーシッププロジェクト（3rd Generation Partnership Project）”という名称の機関によって提供され、文献番号第３ＧＰＰ ＴＳ ２５．２１１号、第３ＧＰＰ ＴＳ ２５．２１２号、第３ＧＰＰ ＴＳ ２５．２１３号、および第３ＧＰＰ ＴＳ ２５．２１４号を含む１組の文献において具体化されている標準；本明細書においてＷ−ＣＤＭＡ標準と呼ばれている第３ＧＰＰ ＴＳ ２５．３０２号であって、本明細書において３ＧＰＰ２と呼ばれている“第三世代パートナーシッププロジェクトプロジェクト２（3rd Generation Partnership Project 2）”という名称の機関によって提供された標準；および本明細書においてｃｄｍａ２０００標準と呼ばれ、公式にはＩＳ−２０００ ＭＣと呼ばれているＴＲ−４５．５のような、１つ以上の標準を支援するように設計され得る。上述で引用された標準は、これによって本明細書に参照によって明らか取り入れられている。
【００１７】
本明細書に記載されているシステムおよび方法は、高データレート(high data rate, HDR)通信システムに使用され得る。ＨＤＲ通信システムは、“第三世代パートナーシッププロジェクトプロジェクト２”という機関によって公布された標準（“cdma2000 High Rate Packet Data Air Interface Specification”, 3GPP2 C.S0024, Version 2, October 27, 2000）のような、１つ以上の標準にしたがうように設計され得る。上述の標準の内容は、参照によって本明細書に取り入れられる。
【００１８】
ＨＤＲ加入者局は、本明細書ではアクセス端末(access terminal, AT)と呼ばれることもあり、移動型であっても、または静止型であってもよく、１つ以上のＨＤＲ基地局と通信することができ、本明細書ではモデムプールトランシーバ(modem pool transceiver, MPT)と呼ばれ得る。アクセス端末は、データパケットを、１つ以上のモデムプールトランシーバを介して、ＨＤＲ基地局制御装置との間で送受信する。ＨＤＲ基地局制御装置は、本明細書では、モデムプール制御装置(modem pool controller, MPC)と呼ばれ得る。モデムプールトランシーバおよびモデムプール制御装置は、アクセスネットワークと呼ばれるネットワークの部分である。アクセスネットワークは、多元接続端末間でデータパケットを移送する。アクセスネットワークは、企業イントラネットまたはインターネットのようなアクセスネットワークの外部の付加的なネットワークにも接続され、各アクセス端末とそのような外部ネットワークとの間でデータパケットを移送し得る。１つ以上のモデムプールトランシーバとアクティブなトラヒックチャネル接続を設定したアクセス端末は、アクティブなアクセス端末と呼ばれ、トラヒック状態であると言われる。１つ以上のモデムプールトランシーバとアクティブなトラヒックチャネル接続を設定する過程中のアクセス端末は、接続セットアップ状態であると言われる。アクセス端末は、無線チャネルを介して、あるいは、例えば、光ファイバまたは同軸ケーブルを使用するワイヤード接続を介して通信するデータデバイスであり得る。アクセス端末は、ＰＣカード、コンパクトフラッシュ（登録商標）、外部または内部モデム、あるいは無線または陸線電話を含むが、これらに限定されない多数のタイプのデバイスでもあり得る。アクセス端末がモデムプールトランシーバに信号を送る通信リンクは、逆方向リンクと呼ばれる。モデムプールトランシーバが信号をアクセス端末に送る通信リンクは、順方向リンクと呼ばれる。
【００１９】
図１は、多数のユーザを支援し、本明細書に記載された実施形態の少なくともいくつかの態様を実施することができる通信システム100の例を示している。種々のアルゴリズムおよび方法の何れかが、システム100における送信をスケジュールするのに使用され得る。システム100は、多数のセル102Aないし102Gに通信を与え、その各々は、対応する基地局104Aないし104Gによってサービスされる。例示的な実施形態では、基地局104のいつかは、多数の受信アンテナをもち、他のものは、１本のみの受信アンテナをもつ。同様に、基地局104のいくつかは、多数の送信アンテナをもち、他のものは、１本の送信アンテナをもつ。送信アンテナおよび受信アンテナの組合せに制限はない。したがって、基地局104が、多数の送信アンテナと１本の受信アンテナをもつこと、多数の受信アンテナと1本の送信アンテナをもつこと、または送信アンテナおよび受信アンテナの両者を１本ずつ、または多数本ずつもつことができる。
【００２０】
受信可能領域内の遠隔局106は、固定型(すなわち、静止型)であっても、または移動型であってもよい。図１に示されているように、種々の遠隔局106は、システム全体に分散している。各遠隔局106は、例えば、ソフトハンドオフが採用されるか、または端末が多数の基地局から多数の送信を(同時に、または順次に)受信するように設計され、動作されるかに依存して、所与の瞬間に、ダウンリンクおよびアップリンク上で、少なくとも１つの、恐らくはより多くの基地局104と通信する。ＣＤＭＡ通信システムにおけるソフトハンドオフは、当技術において周知であり、本発明の譲受け人に譲渡された米国特許第5,101,501号（“Method and System for Providing a Soft Handoff in a CDMA Cellular Telephone System”）に詳しく記載されている。
【００２１】
ダウンリンクは、基地局104から遠隔局106への送信を指し、アップリンクは、遠隔局106から基地局104への送信を指す。例示的な実施形態では、遠隔局106のいくつかは、多数の受信アンテナをもち、他のものは、１本のみの受信アンテナをもつ。図１において、ダウンリンク上で、基地局104Aはデータを遠隔局106Aおよび106Jに送信し、基地局104Bは遠隔局106Bおよび106Jへデータを送信し、基地局104Cは遠隔局106Cへデータを送信する、等である。
【００２２】
図２は、無線通信システム100における基地局204および遠隔局206のブロック図である。基地局204は、遠隔局206と無線通信する。既に記載したように、基地局204は、遠隔局206へ信号を送信し、遠隔局206は、信号を受信する。さらに加えて、遠隔局206も、基地局204へ信号を送信し得る。
【００２３】
図３は、ダウンリンク308およびアップリンク310を示す基地局204および遠隔局206のブロック図である。ダウンリンク308は、基地局204から遠隔局206への送信を指し、アップリンク310は、遠隔局206から基地局204への送信を指す。
【００２４】
図４は、基地局404の実施形態を示す機能ブロック図である。基地局404は、共通基準信号414を生成する共通基準源412を含む。共通基準信号414は、しばしば、共通のパイロット信号414と呼ばれる。基地局404は、共通基準信号414を、通信システム100内の遠隔局106の全てへ送信する。共通基準信号414は、各基地局404によって連続的に送信された、変調されていない、直接的なスペクトラム拡散信号である。共通基準信号414は、通信システム100において遠隔局106の各々によって事前に知られており、復調および復号処理の効率を高めるのに使用される。共通基準信号414は、各ユーザが基地局404によって送信されたチャネルのタイミングを得ることを可能にし、コヒーレントな復調のための位相基準を与える。共通基準信号414は、基地局404間で信号強度を比較する手段も与え、(例えば、セル102間を移動するときに)基地局404間でいつハンドオフをするかを決定する。
【００２５】
基地局404は、専用基準信号418を生成する専用基準源416も含む。専用基準信号418が通信システム100において特定の遠隔局106へ送信されることを除いて、専用基準信号418は、共通基準信号414に類似している。専用基準信号418は、専用基準信号418を受信する遠隔局106によって事前に知られている。既に記載したように、専用基準信号418は、復調および復号処理の効率を高めるために使用される。
【００２６】
基地局404は、トラヒック信号422を生成するトラヒック源420も含む。トラヒック信号422は、共通基準信号414または専用基準信号418以外の、データを乗せた信号である。トラヒック信号422は、音声、データ、オーバーヘッド情報、等を含み得る。専用基準信号418と同様に、トラヒック信号422は、通信システム100内の特定の遠隔局106へ送信される。
【００２７】
簡潔にするために、１つの専用基準源416および１つのトラヒック源420が、図４に示されている。しかしながら、当業者には、基地局404が、２つ以上の専用基準源416またはトラヒック源420、あるいはこの両者を含み得ることが分かるであろう。基地局404は、通信システム100内の各遠隔局106のための個別の専用基準信号418および個別のトラヒック信号422を生成する。
【００２８】
多重化構成要素424は、共通基準信号414、専用基準信号418、およびトラヒック信号422を多重化する。多重化構成要素424は、符号分割多重化技術、時分割多重化技術、周波数分割多重化技術、および当業者に知られている、これらの組合せを含む他の技術にしたがって、これらの信号を多重化し得る。多重化構成要素424の出力は、送信機426によって、通信システム100内の遠隔局106へ送信される。
【００２９】
基地局404は受信機428も含む。受信機428によって受信された信号は、復調器430によって復調される。いくつかの実施形態では、遠隔局106は、遠隔局106において受信された共通基準信号414の品質メトリック432を決定する。遠隔局106は、この品質メトリック432を基地局404へ送信する。品質メトリック432は、復調信号から復元される。異なる種類の品質メトリック432の例は、信号対干渉および雑音比（signal-to- interference-and-noise ratio, SINR）、シンボル誤り率、フレーム誤り率、等を含む。品質メトリック432の他の例は、本明細書に含まれている教示を考慮すると、当業者には明らかになるであろう。
【００３０】
本明細書に開示されている実施形態では、基地局404は、少なくとも１つの資源の一定量を、共通基準信号414の送信に割り振る。基地局404は、少なくとも１つの資源の一定量を、専用基準信号418およびトラヒック信号422の結合にも割り振る。言い換えると、専用基準信号418に割り振られる特定の資源の量が増加すると、トラヒック信号422に割り振られるその資源の量が低減し、逆の場合も同様である。割り振られ得る異なるタイプの資源の例は、電力、時分割多重化された信号における時間スロット、等を含む。
【００３１】
既に記載されたように、トラヒック信号422を送信するためのシステム容量を最適化するように資源を割り振ることが望ましい。いくつかの実施形態では、これは、トラヒック信号422を送信するためのシステム容量が最大化されるように、遠隔局106から受信した品質メトリック432を使用して、専用基準信号418の送信に充てられた資源の量を決定することによって達成される。
【００３２】
基地局404は、資源割り振り構成要素434を含み、これは、遠隔局106から受信した品質メトリック432を使用して、専用基準信号418とトラヒック信号422との間において少なくとも１つの資源を、どのように割り振るかを決定する。資源割り振り構成要素434は、資源割り振り情報436を多重化構成要素424に与える。次に、多重化構成要素424は、資源割り振り情報436にしたがって、専用基準信号418とトラヒック信号422の間において少なくとも１つの資源を割り振る。
【００３３】
いくつかの実施形態では、専用基準信号418とトラヒック信号422との間において資源をどのように割り振るかを決定することは、次のやり方で行なわれ得る。共通基準信号414の品質メトリック432は、ある特定のパラメータの関数である。資源割り振り構成要素434は、受信品質メトリック432を使用して、それらのパラメータを決定する。次に、資源割り振り構成要素434は、ダウンリンク308の送信容量を表現する容量関数において、それらのパラメータを使用する。容量関数は、決定されたパラメータと、さらに加えて、トラヒック信号422に充てられた資源の部分とに依存する。次に、トラヒック信号422に充てられた資源の部分が、容量関数を最大化するように決定される。この技術を説明する数式を含めて、これがどのように達成されるかについての追加の詳細は、別途与えられる。
【００３４】
いくつかの実施形態では、基地局404は、最初に、専用基準信号418を遠隔局106へ送信しない。言い換えると、いくつかの実施形態では、多重化構成要素424は、最初に、少なくとも１つの資源(例えば、専用基準信号418およびトラヒック信号422の結合に割り振られた電力の量)の全てをトラヒック信号422に割り振り、専用基準信号418へは少なくとも１つの資源を全く割り振らない。基地局404が遠隔局106から品質メトリック432を受信し始めると、資源割り振り構成要素434は、トラヒック信号422を送信するためのシステム容量を最適化するために、少なくとも１つの資源の幾らかを専用基準信号418へ割り振るように、多重化構成要素424に命令し得る。その代わりに、いくつかの実施形態では、基地局404が、最適化された資源割り振りを用いて、それが全くそうするという情報を送る必要があるとき、遠隔局106は、共通基準信号418上で測定された品質メトリック432を連続的に報告する。
【００３５】
図５は、遠隔局506の実施形態を示す機能ブロック図である。遠隔局506は、受信機538を含む。デマルチプレックス構成要素（demultiplexing component, Demux）540は、受信共通基準信号414'、受信専用基準信号418'、および受信トラヒック信号422'を復元するために、受信機538によって受信された信号をデマルチプレックスする。受信共通基準信号414'は、遠隔局506において受信された共通基準信号414の変形（version）である。受信専用基準信号418'は、遠隔局506において受信された専用基準信号418の変形である。受信トラヒック信号422'は、遠隔局506において受信されたトラヒック信号422の変形である。
【００３６】
既に記載されたように、基地局404によって送信された共通基準信号414および専用基準信号418は、遠隔局506によって事前に知られている。示されている実施形態では、遠隔局506は、共通基準源412および専用基準源416を含んでいる。共通基準源412は、基地局404によって送信された共通基準信号414のコピーを生成する。これは、送信共通基準信号414と呼ばれる。専用基準源416は、基地局404によって送信専用基準信号418のコピーを生成する。これは、送信専用基準信号418と呼ばれる。
【００３７】
受信共通基準信号414'および送信共通基準信号414は、信号品質測定構成要素542に与えられる。信号品質測定構成要素542は、受信共通基準信号414'の品質メトリック432を決定する。既に記載されたように、異なるタイプの品質メトリック432の例は、ＳＩＮＲ、シンボル誤り率、フレーム誤り率、等を含む。品質メトリック432は、送信機544に与えられ、これは、品質メトリック432を基地局404へ送信する。
【００３８】
受信共通基準信号414'、受信専用基準信号418'、送信共通基準信号414、および送信専用基準信号418は、それぞれ、訓練構成要素546に与えられる。訓練構成要素546は、受信基準信号(受信共通基準信号414'および受信専用基準信号418')を、送信基準信号(送信共通基準信号414および送信専用基準信号418)と比較する。この比較に基づいて、訓練構成要素546は、受信機538を“訓練”し、送信中に雑音、干渉、および他から生じ得る符号の歪みを補償する。１つの実施形態では、受信機538は、フィルタ(図示されていない)を含み、訓練構成要素546は、フィルタのタップの係数を決定する。フィルタのタップの係数を決定するために、訓練構成要素546は、最小平均二乗(least mean square, LMS)、反復最小二乗(recursive least square, RLS)、等のような、既知の適応アルゴリズムを利用し得る。
【００３９】
図６は、基地局604の別の実施形態を示す機能ブロック図である。既に記載された実施形態のように、基地局604は、共通基準信号614を生成する共通基準源612、専用基準信号618を生成する専用基準源616、およびトラヒック信号622を生成するトラヒック源620を含む。
【００４０】
示されている実施形態では、共通基準信号614、専用基準信号618、およびトラヒック信号622は、符号分割多重化技術にしたがって多重化される。基地局604は、共通基準信号614のためのウォルシュ拡散構成要素648、専用基準信号618のためのウォルシュ拡散構成要素650、およびトラヒック信号622のためのウォルシュ拡散構成要素652を含む。共通基準ウォルシュ拡散構成要素648は、共通基準信号614を、共通基準信号614に割り当てられたウォルシュ符号で拡散する。専用基準ウォルシュ拡散構成要素650は、専用基準信号618を、特定の遠隔局106のための専用基準信号618に割り当てられたウォルシュ符号で拡散する。トラヒックウォルシュ拡散構成要素652は、トラヒック信号622を、特定の遠隔局106のためのトラヒック信号622に割り当てられたウォルシュ符号で拡散する。
【００４１】
共通基準ウォルシュ拡散構成要素648の出力、専用基準ウォルシュ拡散構成要素650、およびトラヒックウォルシュ拡散構成要素652の出力は、結合器654によって結合される。結合器654の出力は、ＰＮ拡散構成要素656によってＰＮ符号で拡散される。ＰＮ拡散構成要素656の出力は、送信機626によって遠隔局106へ送信される。
【００４２】
既に記載された実施形態におけるように、基地局604は、受信機628および復調器630を含む。受信機628によって受信された信号は、復調器630によって復調される。遠隔局106は、遠隔局106において受信された共通基準信号614の品質メトリック632を決定し、この品質メトリック632を基地局604へ送信する。品質メトリック632は、復調信号から復元される。
【００４３】
基地局604は、資源割り振り構成要素634も含む。図６に示されている基地局604において、資源割り振り構成要素634は、電力割り振り構成要素634として具体化される。電力割り振り構成要素634は、トラヒック信号622を送信するためのシステム容量を最大化するために、専用基準信号618とトラヒック信号622との間において電力をどのように割り振るかを決定するために、品質メトリック632を使用する。この決定がどのように行われ得るかについての特定の例は、別途記載されることになる。
【００４４】
電力割り振り構成要素634は、専用基準電力情報658を、専用基準ウォルシュ拡散構成要素650に与える。専用基準ウォルシュ拡散構成要素650は、専用基準電力情報658を使用して、電力を、それが専用基準信号618を拡散するために使用するウォルシュ符号に割り振る。
【００４５】
電力割り振り構成要素634は、トラヒック電力情報660を、トラヒックウォルシュ拡散構成要素652に与える。トラヒックウォルシュ拡散構成要素652は、トラヒック電力情報660を使用して、電力を、それがトラヒック信号622を拡散するのに使用するウォルシュ符号に割り振る。電力は、特定のウォルシュ符号に対応するディジタル信号を基準化する乗算係数によって、ウォルシュ符号に割り振られる。後の段階で、全てのアクティブなウォルシュ符号に対応するディジタル信号は、一緒に加算され、送信の準備ができた完全なディジタル信号を形成する。
【００４６】
図７は、遠隔局706の別の実施形態を示す機能ブロック図である。既に記載された実施形態におけるように、遠隔局706は受信機738を含む。ＰＮ逆拡散構成要素762は、受信機738によって受信された信号を逆拡散する。ＰＮ逆拡散構成要素762の出力は、共通基準ウォルシュ逆拡散構成要素764、専用基準ウォルシュ逆拡散構成要素766、およびトラヒックウォルシュ逆拡散構成要素768に供給される。
【００４７】
共通基準ウォルシュ逆拡散構成要素764は、ＰＮ逆拡散構成要素762の出力を、共通基準信号614に割り当てられたウォルシュ符号で逆拡散し、それによって受信共通基準信号614'を復元する。専用基準ウォルシュ逆拡散構成要素766は、ＰＮ逆拡散構成要素762の出力を、遠隔局706のための専用基準信号618に割り当てられたウォルシュ符号で逆拡散し、それによって受信専用基準信号618'を復元する。トラヒックウォルシュ逆拡散構成要素768は、ＰＮ逆拡散構成要素762の出力を、遠隔局706のためのトラヒック信号622に割り当てられたウォルシュ符号で逆拡散し、それによって受信トラヒック信号622'を復元する。
【００４８】
既に記載された実施形態におけるように、遠隔局706は、送信共通基準信号614を生成する共通基準源612、および送信専用基準信号618を生成する専用基準源616も含む。送信共通基準信号614は、基地局604から送られる共通基準信号614と同じである。同様に、送信専用基準信号618は、基地局604から送られる専用基準信号618と同じである。
【００４９】
受信共通基準信号614'および送信共通基準信号614は、信号品質測定構成要素742に与えられる。品質測定構成要素742は、受信共通基準信号614'の品質メトリック632を決定する。既に記載されたように、異なるタイプの品質メトリック632の例は、ＳＩＮＲ、シンボル誤り率、フレーム誤り率、等を含む。品質メトリック632は、送信機744に与えられ、これは、品質メトリック632を基地局604に送信する。
【００５０】
受信共通基準信号614'、受信専用基準信号618’、送信共通基準信号614、および送信専用基準信号618は、それぞれ、訓練構成要素746に与えられる。訓練構成要素746は、受信基準信号(受信共通基準信号614'および受信専用基準信号618')を、送信基準信号(送信共通基準信号614および送信専用基準信号618)と比較する。既に記載されたように、訓練構成要素746は、送信中の雑音、干渉、等から生じる符号の歪みを補償するように、受信機738を“訓練”する。
【００５１】
図８は、基地局の別の実施形態を示す機能ブロック図である。既に記載された実施形態のように、基地局804は、共通基準信号814を生成する共通基準源812、専用基準信号818を生成する専用基準源816、およびトラヒック信号822を生成するトラヒック源820を含む。基地局804は、遠隔局へトラヒック信号822を送信するためのシステム容量を最大化するために、遠隔局から受信した品質メトリック832を使用して、資源を専用基準信号818とトラヒック信号822との間においてどのように割り振るかを決定する。示されている実施形態では、資源は、時分割多重信号における時間スロットである。
【００５２】
基地局804は、共通基準信号814のためのウォルシュ拡散構成要素848と、専用基準信号818およびトラヒック信号822の結合のためのウォルシュ拡散構成要素870を含む。基地局804は、時分割多重化(time-division multiplexing, TDM)構成要素872も含む。
【００５３】
共通基準ウォルシュ拡散構成要素848は、共通基準信号814を、共通基準信号814に割り当てられたウォルシュ符号で拡散する。ＴＤＭ構成要素872は、専用基準信号818をトラヒック信号822で時分割多重化する。専用基準／トラヒックウォルシュ拡散構成要素870は、ＴＤＭ構成要素872の出力を、特定の遠隔局106のための専用基準信号818およびトラヒック信号822の結合に割り当てられたウォルシュ符号で拡散する。
【００５４】
共通基準ウォルシュ拡散構成要素848の出力と、専用基準／トラヒックウォルシュ拡散構成要素870の出力とは、結合器854によって結合される。結合器854の出力は、ＰＮ拡散構成要素856によって、ＰＮ符号で拡散される。ＰＮ拡散構成要素856の出力は、送信機826によって遠隔局106へ送信される。
【００５５】
既に記載された実施形態におけるように、基地局804は、受信機828および復調器830を含む。受信機828によって受信された信号は、復調器830によって復調される。遠隔局106は、遠隔局106において受信された共通基準信号814の品質メトリック832を決定し、この品質メトリック832を基地局804へ送信する。品質メトリック832は、復調された信号から復元される。
【００５６】
図８に示されている基地局804において、資源割り振り構成要素834は、時間スロット割り振り構成要素834として具体化される。時間スロット割り振り構成要素834は、トラヒック信号822を送信するためのシステム容量を最大化するために、専用基準信号818とトラヒック信号822の間において使用可能時間スロットをどのように割り振るかを決定するために、品質メトリック832を使用する。この決定がどのように行われ得るかについての特別な例は、別途記載される。
【００５７】
時間スロット割り振り構成要素834は、時間スロット情報836をＴＤＭ構成要素872に与える。ＴＤＭ構成要素872は、専用基準信号818およびトラヒック信号822の時分割多重化中に、時間スロット情報836を使用する。より具体的には、ＴＤＭ構成要素872は、時間スロット情報836を使用して、ＴＤＭ構成要素872によって生成される時分割多重化された信号において、専用基準信号818のための時間スロットの長さとトラヒック信号822のための時間スロットの長さとを割り振る。
【００５８】
図９は、遠隔局906の別の実施形態を示す機能ブロック図である。既に記載された実施形態におけるように、遠隔局906は、受信機938を含む。ＰＮ逆拡散構成要素962は、受信機938によって受信された信号を逆拡散する。ＰＮ逆拡散構成要素962の出力は、共通基準ウォルシュ逆拡散構成要素964、および専用基準／トラヒックウォルシュ逆拡散構成要素974に与えられる。
【００５９】
共通基準ウォルシュ逆拡散構成要素964は、ＰＮ逆拡散構成要素962の出力を、共通基準信号814に割り当てられたウォルシュ符号で逆拡散し、それによって受信共通基準信号814'を復元する。専用基準／トラヒックウォルシュ逆拡散構成要素974は、ＰＮ逆拡散構成要素962の出力を、遠隔局906のための専用基準信号818およびトラヒック信号822の結合に割り当てられたウォルシュ符号で逆拡散する。専用基準／トラヒックウォルシュ逆拡散構成要素974の出力は、時分割デマルチプレックス構成要素976によって時分割デマルチプレックスされ、それによって受信専用基準信号818'および受信トラヒック信号822'を復元する。
【００６０】
既に記載された実施形態におけるように、遠隔局906は、送信共通基準信号814を生成する共通基準源812と、送信専用基準信号818を生成する専用基準源816とをさらに含む。送信共通基準信号814は、基地局804から送られる共通基準信号814と同じである。同様に、送信専用基準信号818は、基地局804から送られる専用基準信号818と同じである。
【００６１】
受信共通基準信号814'および送信共通基準信号814は、信号品質測定構成要素942に与えられる。信号品質測定構成要素942は、受信共通基準信号814'の品質メトリック832を判断する。既に記載されたように、異なるタイプの品質メトリック832の例は、ＳＩＮＲ、シンボル誤り率、フレーム誤り率、等を含む。品質メトリック832は、送信機944に与えられ、これは、品質メトリック832を基地局804へ送信する。
【００６２】
受信共通基準信号814'、受信専用基準信号818'、送信共通基準信号814、および送信専用基準信号818は、それぞれ、訓練構成要素946に与えられる。訓練構成要素946は、受信基準信号（受信共通基準信号814'および受信専用基準信号818'）を、送信基準信号（送信共通基準信号814および送信専用基準信号818）と比較する。既に記載したように、訓練構成要素946は、送信中の雑音、干渉、等から生じる信号の歪みを補償するように、受信機938を“訓練”する。
【００６３】
図１０は、専用基準信号418とトラヒック信号422との間における資源の適応割り振りのための方法1000の実施形態を示すフローチャートである。方法1000は、基地局404が共通基準信号414を無線通信システム100内の複数の遠隔局106へ送信するとき1002に始まる。基地局404は、さらに加えて、トラヒック信号422を無線通信システム100内の特定の遠隔局106へ送信する1004。
【００６４】
遠隔局106は、受信共通基準信号414'の品質メトリック432を決定する1006。既に記載されたように、品質メトリック432は、ＳＩＮＲ、ビット誤り率、フレーム誤り率、等であり得る。遠隔局106は、品質メトリック432を基地局404へ送信する1008。いくつかの実施形態では、基地局404がトラヒック信号422を遠隔局106へ送信する1004前に、遠隔局106は品質メトリック432を決定し1006、品質メトリック432を基地局404へ送信する1008。
【００６５】
基地局404は、品質メトリック432を使用して、トラヒック信号422と専用基準信号418との間において少なくとも１つの資源を割り振る1010。基地局404は、トラヒック信号422を送信するためのシステム容量を最大化するように資源を割り振る。既に記載されたように、割り振られ得る資源の例は、電力、時分割多重化された信号における時間スロット、等を含み得る。資源が割り振られると、次に、基地局404は、専用基準信号418およびトラヒック信号422を遠隔局106へ送信する1012。
【００６６】
トラヒック信号を送信するためのシステム容量を最大化するために、品質メトリックが基地局によってどのように使用され得るかについての数学的な説明が、ここで与えられる。基地局の送信機において使用可能な資源の全体量を、１に等しく正規化するとき、システムの動作は、次のやり方で記載され得る。それらの資源の一定の部分は、共通基準信号に常に充てられている。各遠隔局において、訓練構成要素は、受信共通基準信号を絶えず使用して、遠隔局の受信機を訓練する。さらに加えて、各遠隔局において、品質測定構成要素は、受信共通基準信号を絶えず使用して、ＳＩＮＲのような品質メトリックの推定値を得る。時間における所与の瞬間において、基地局における資源割り振り構成要素は、特定の遠隔局へデータを送信するために、使用可能な資源の別の部分ｐを専用チャンネルへ割り振る。問題は、データ容量が最大化されるように、それらのpの資源を専用基準信号とトラヒック信号との間においてどのように最適に割り振るかである。
【００６７】
式（１）によって与えられる既知の関数gがあると仮定する。
【００６８】
ＳＩＮＲ＝ｇ（ｅ０，ｐ，ｅｘ，θ，ψ）          （１）
式（１）は、遠隔局の受信機において、データ送信中に、スカラ量ｅ０、ｐ、ｅｘと、ベクトルθ、ψとで得られるであろうＳＩＮＲをリンクする。ベクトルθは、使用される訓練アルゴリズムのタイプを示している。ベクトルψは、特定のチャネルおよび干渉状態に対するＳＩＮＲの(可能な)依存を表わす。より具体的には、式（１）は、共通基準信号のｅ０量および専用基準信号のｅｘｐ量において訓練され、トラヒック信号に割り振られる資源の（１−ｅｘ）ｐ量において適用されるとき、θによって特徴付けられる復調技術の性能を表わす。
【００６９】
遠隔局に送信されたトラヒック信号がないとき、遠隔局の品質測定構成要素が、受信共通基準信号のＳＩＮＲを決定し、これが、別の事前に分かっている関数ｇｐによって与えられると仮定する。
【００７０】
ＳＩＮＲｐ＝ｇｐ（ｅ０，θ，ψ）          （２）
遠隔局は、その測定されたＳＩＮＲｐと、恐らくはθとを基地局へ送信する。
【００７１】
ｅ０およびｐは、送信機において分かっているので、ＳＩＮＲｐおよびθについての知識がｇ（.）の完全な記述を可能にするようなｇ（.）およびｇｐ（.）があるとき、ｅｘは、データ送信期間中にＳＩＮＲを最大化するように最適化され得る。大抵の場合に、ＳＩＮＲの最大化は、データ容量も最大化する。各送信に使用されるｅｘの個々の選択は、遠隔局に明示的に伝えられ得る。例えば、いくつかの実施形態において、基地局は、ｅｘを専用制御チャネル上で遠隔局へ送信し得る。その代わりに、基地局と遠隔局とは、ｅｘを決定するためのいくつかの暗示的な規則に同意し得る。
【００７２】
本明細書に開示されている技術のいくつかの具体的な例は、ここで与えられる。ｃｄｍａ２０００のセルラ標準のリリースＣ、ａ．ｋ．ａ． １ｘ−ＥＶ−ＤＶの順方向リンクにおいて、基地局は、パケットデータチャネル(Packet Data Channel, PDCH)上で非音声(データ)トラヒックを送信する。全ての音声ユーザに対して電力の予定を立てた後で、残りの順方向リンク電力pは、ＰＤＣＨに使用される。可能な動作モードでは、１人のみのデータユーザに残りの全電力ｐを充てて、一度にそれをスケジュールすることができる。ここで、本明細書に記載された技術のいくつかを、“単一データユーザ”の場合に適用する。
【００７３】
受信機が、ｎパイロットチップ上で最小二乗推定方法を採用して、Ｌタップ線形等化器の係数を計算するとき、その平均測定ＳＩＮＲｐは、次の式（３）によって与えられる。
【数１】
2007513586.tif 000003
【００７４】
式（３）において、変数ｅ０は、共通基準信号に割り振られる順方向リンク電力の部分である。変数αは、次の方程式（４）によって与えられる。
【００７５】
α＝ＺＨＲ−１Ｚ          （４）
Ｘｋが、チップ時間ｋにおいて、線形フィルタのタップにおいて提示されるＬ次元の入力信号ベクトルであり、ｚｋが、ｋ番目の送信シンボルであるとき、Ｌ次元のチャネル相互相関ベクトルは、式（５）によって与えられ、Ｌ×Ｌ信号自己相関行列は、式（６）によって与えられる。
【数２】
2007513586.tif 000004
【００７６】
式（１）および（３）に関連して、ここで、式（７）によって与えられるθ、および式（８）によって与えられるψを識別する。
【数３】
2007513586.tif 000005
【００７７】
したがって、ｇｐ（．）およびｇｐ（．）のベクトルの引き数は、スカラ量であることが分かる。ψは二次形式のみに依存するので、その特定の単純性に注意すべきである。チャネル、干渉、および雑音条件に対する全ての依存が、１つのパラメータαによって集められることは注目すべきである。
【００７８】
基地局は、相対電力ｐにおいて、継続期間のｎチップのフレームを、一人のデータユーザに宛てられたＰＤＣＨ上で送信すると仮定する。補助基準信号を埋め込む１つのやり方では、専用送信の最初のｎｅｘチップを訓練系列に、残りの（１−ｅｘ）ｎをデータに割り振る。次に、遠隔局の受信機は、そのフィルタを、電力ｐ＋ｅ０のｎｅｘパイロットチップおよび電力ｅ０の（１−ｅｘ）ｎパイロットチップ上で訓練することになる。これらの条件のもとで、相対電力ｐの専用チャンネル上で達成される平均ＳＩＮＲが、式（９）によって与えられることが示され得る。
【数４】
2007513586.tif 000006
【００７９】
フレームの（１−ｅｘ）の部分のみが、データ送信に使用されるという事実を考慮に入れると、式（９）は、式（１２）の形に変更される。
【数５】
2007513586.tif 000007
【００８０】
式（３）および（１２）を検査した後で、基地局は、ＳＩＮＲｐおよび（Ｌ−１）／ｎの知識をもつときは、式（３）を使用して、α、すなわち、それが式（１２）を最大化するｅｘの選択を最適化するために必要とされる唯一の追加のパラメータを判断し得ることが分かる。この目標を達成する１つのやり方は、遠隔局が、ＳＩＮＲｐおよび（Ｌ−１）／ｎを、フィードバックチャネルを介して基地局へ送ることである。その代わりに、パラメータ（Ｌ−１）／ｎは、基地局および遠隔局が呼セットアップ中に同意し、その後で変更されていない固定パラメータであってもよい。
【００８１】
本明細書に開示された実施形態に関して記載された方法のステップまたは実行の順序は、当業者によって本発明の範囲から逸脱することなく、変更され得る。したがって、図の順序または詳細な記述は、単なる例示であり、要求される順序を示唆することを意味していない。
【００８２】
当業者は、情報および信号が、種々の異なる技術および技法の何れかを使用して提示され得る。例えば、上述全体で参照され得るデータ、命令、コマンド、情報、信号、ビット、シンボル、およびチップは、電圧、電流、電磁波、磁界または磁性粒子、光学場または光学粒子、あるいはそれらの任意の組合せによって表わされ得る。
【００８３】
当業者には、本明細書に開示された実施形態に関係して記載された種々の例示的な論理ブロック、モジュール、回路、およびアルゴリズムのステップが、電子ハードウエア、コンピュータソフトウエア、またはこの両者の組合せとして実施され得ることも分かるであろう。ハードウエアとソフトウエアとのこの互換性を明らかに示すために、種々の例示的な構成要素、ブロック、モジュール、回路、およびステップを、上述で全体的に機能に関して概ね記載した。このような機能が、ハードウエアとして実行されるか、またはソフトウエアとして実行されるかは、全体的なシステムに課された個々の応用および設計上の制約に依存する。熟練した技能をもつ者は、各個々の応用ごとに種々のやり方で上述の機能を実施するが、このような実行の決定は、本発明の技術的範囲から逸脱すると解釈されるべきではない。
【００８４】
本明細書に開示されている実施形態に関連して記載された種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理デバイス、ディスクリートなゲートまたはトランジスタ論理、ディスクリートなハードウエア構成要素、あるいは本明細書に記載されている機能を実行するように設計された組合せで実施または実行され得る。汎用プロセッサは、マイクロプロセッサであってもよいが、その代わりに、プロセッサは、従来のプロセッサ、制御装置、マイクロ制御装置、または状態機械であってもよい。プロセッサは、コンピューティングデバイスの組合せ、例えば、１つのＤＳＰと１つのマイクロプロセッサとの組合せ、複数のマイクロプロセッサ、１つ以上のマイクロプロセッサと１つのＤＳＰのコアとの組合せ、または他のこのような構成としても実施され得る。
【００８５】
本明細書に開示されている実施形態に関係して記載された方法またはアルゴリズムのステップは、ハードウエアにおいて、プロセッサによって実行されるソフトウエアモジュールにおいて、または２つの組合せにおいて直接的に具体化され得る。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、またはこの技術において知られている記憶媒体の他の形態の中にあってもよい。例示的な記憶媒体は、プロセッサが記憶媒体から情報を読み出し、かつ記憶媒体へ情報を書き込み得るように、プロセッサに接続される。その代りに、記憶媒体は、プロセッサと一体構成であってもよい。プロセッサおよび記憶媒体は、ＡＳＩＣの中にあってもよい。ＡＳＩＣは、ユーザ端末の中にあってもよい。その代りに、プロセッサおよび記憶媒体は、ディスクリートな構成要素として、ユーザ端末の中にあってもよい。
【００８６】
開示された実施形態についてのこれまでの記述は、当業者が本発明を作成または使用できるようにするために与えられている。当業者には、これらの実施形態に対する種々の変更は容易に明らかであり、本明細書に定められている一般的な原理は、本発明の意図および技術的範囲から逸脱することなく、他の実施形態に適用され得る。したがって、本発明は、本明細書に示された実施形態に制限されることを意図されず、本明細書に開示されている原理および新規な特徴に一致する最も幅広い範囲にしたがうことを意図されている。
【図面の簡単な説明】
【００８７】
【図１】多数のユーザを支援し、本明細書に記載されている実施形態の少なくともいくつかの態様を実施することができる通信システムの例を示す図。
【図２】通信システムにおける基地局および遠隔局のブロック図。
【図３】ダウンリンクおよびアップリンクを示す基地局および遠隔局のブロック図。
【図４】基地局の実施形態を示す機能ブロック図。
【図５】遠隔局の実施形態を示す機能ブロック図。
【図６】基地局の別の実施形態を示す機能ブロック図。
【図７】遠隔局の別の実施形態を示す機能ブロック図。
【図８】基地局の別の実施形態を示す機能ブロック図。
【図９】遠隔局の別の実施形態を示す機能ブロック図。
【図１０】専用基準信号とトラヒック信号との間における資源の適応割り振りのための方法の実施形態を示すフローチャート。
【符号の説明】
【００８８】
100・・・通信システム、102・・・セル、104・・・基地局、106・・・遠隔局、1000・・・方法。
【図１】
2007513586.tif 000008
【図２】
2007513586.tif 000009
【図３】
2007513586.tif 000010
【図４】
2007513586.tif 000011
【図５】
2007513586.tif 000012
【図６】
2007513586.tif 000013
【図７】
2007513586.tif 000014
【図８】
2007513586.tif 000015
【図９】
2007513586.tif 000016
【図１０】
2007513586.tif 000017
【国際調査報告】
2007513586.tif 000018
2007513586.tif 000019